(57)【特許請求の範囲】
【請求項１】
患者の手首または足首に巻回され、環状に固定されて前記患者から取り外し不能に装着されると共に、その破壊により前記患者から取り外されて使い捨てされるリストバンドと、
このリストバンドに設けられて前記患者の氏名を含む患者情報が記載されるラベルと、
メモリおよびアンテナを集積したＩＣチップ本体を耐熱・耐蝕性素材にて全面コーティングまたは封入してなり、前記リストバンドに内蔵されて上記メモリに前記患者の個人データが書き込まれると共に、前記アンテナを介して所定の外部機器に対して上記個人データを出力可能なＩＣチップとを具備し、
前記ＩＣチップを前記リストバンドに設けられたポケット部内に収納して密封すると共に、上記ポケット部を破壊することで前記ＩＣチップを前記リストバンドから取り出して滅菌・消毒可能に設けたことを特徴とする医事管理用タグ。
【請求項２】
前記リストバンドから取り出されたＩＣチップは、滅菌・消毒されると共に、その書き込みデータを消去して初期化された後、別のリストバンドに内蔵されて再利用されるものである請求項１に記載の医事管理用タグ。
【請求項３】
前記ＩＣチップは、その繰り返し使用回数を記憶する機能を備え、この繰り返し使用回数に従ってその再利用が管理されるものである請求項１に記載の医事管理用タグ。
【発明の詳細な説明】
【０００１】
【発明の属する技術分野】
本発明は、入院患者の手首や足首に装着されて患者の個人同定（個人認証）等に用いられる医事管理用タグに関する。
【０００２】
【関連する背景技術】
医療機関において手術や医薬投与等を行うに際しては、患者の取り違えミスや医療処置ミスを未然に防ぐ上で、患者を個人同定することが極めて重要である。このような個人同定を行う手段として、従来より種々の手法が提唱されており、例えば患者の氏名や血液型等を記載したネームタグを患者自身に装着することが考えられている。しかしながら一般的にネームタグに記載し得る情報量は限られており、その記載情報を読み間違えることも懸念される。
【０００３】
【発明が解決しようとする課題】
そこで近年、駅改札システム等に導入されているＩＣカードを利用することが考えられている。この種のＩＣカードは種々の情報を記録可能な大容量メモリを備え、所定の端末機器により非接触にその記録情報を読み取り可能なもので、その携帯者を容易に個人同定し得ると言う利点を備える。しかし入院患者が上述したＩＣカードを常時携帯するには問題があり、またＩＣカード自体の取り違えの問題もある。
【０００４】
この点、スポーツクラブ（フィットネスクラブ）等において利用される個人同定システムとして、ＩＣカードの主体をなすＩＣチップ自体をリストバンドに内蔵し、このリストバンドを手首等に装着することでＩＣカードの携帯を不要とすることが提唱されている。しかし上記リストバンドは、スポーツクラブ等においてその都度、利用者に装着されて繰り返し使用されるものであり、医療機関において入院患者に繰り返し使用するには、衛生管理上問題がある。ちなみにＩＣチップを内蔵したリストバンドを使用後に廃棄処分して、その繰り返し使用を禁止すると、比較的高価なＩＣチップまでが廃棄されることになるので、そのランニングコストが嵩むと言う問題がある。
【０００５】
本発明はこのような事情を考慮してなされたもので、その目的は、衛生管理上の問題を招来することがなく、しかもランニングコストが安価で入院患者の手首や足首に装着して患者の個人同定（個人認証）等に用いるに好適な医事管理用タグを提供することにある。
【０００６】
【課題を解決するための手段】
上述した目的を達成するべく本発明に係る医事管理用タグは、入院患者に装着されて患者の個人同定（個人認証）等に用いられるものであって、
(１)  例えば布や可撓性の合成樹脂素材からなり、患者の手首または足首に巻回した状態で環状に固定することで前記患者から取り外し不能に装着されると共に、ハサミによる切断等により破壊されて前記患者から取り外され、その後は使い捨て（廃棄）されるリストバンドと、
(２)  このリストバンドの表面部に設けられて前記患者の氏名を含む患者情報が油性ペン等により記載されるラベルと、
(３)  メモリおよびアンテナを集積したＩＣチップ本体を耐熱・耐蝕性素材にて全面コーティングまたは封入してなり、前記リストバンドに内蔵されて上記メモリに前記患者の個人データが書き込まれると共に、前記アンテナを介して所定の外部機器に対して非接触に上記個人データを出力可能なＩＣチップと
を具備してなり、特に
(４)  前記ＩＣチップを前記リストバンドに設けられたポケット部内に収納して密封すると共に、前記ポケットを破くことで前記ＩＣチップを前記リストバンドから取り出して滅菌・消毒可能に設けたことを特徴としている。
【０００７】
ちなみに前記リストバンドから取り出されたＩＣチップは、滅菌・消毒されると共に、その書き込みデータを消去して初期化された後、別のリストバンドに内蔵されて再利用されるものである。
【０００８】
好ましくは前記ＩＣチップに、その繰り返し使用回数を記憶する機能を設けておき、記憶した繰り返し使用回数に従ってその再利用を管理することが望ましい。
【０００９】
【発明の実施の形態】
以下、図面を参照して本発明の一実施形態に係る医事管理用タグについて説明する。
図１はこの実施形態に係る医事管理用タグの概略構造を示すもので、１は布や紙、或いは可撓性の合成樹脂素材、例えば塩化ビニル製の帯状のリストバンドである。このリストバンド１は、例えば幅２５ｍｍ・長さ１５０ｍｍ程度の帯状のバンド本体部１ａと、このバンド本体部１ａの一端からその長手方向に延在して設けられた幅１６ｍｍ・長さ１５０ｍｍ程度の帯状の締結部１ｂとからなり、前記バンド本体部１ａの他端部に前記締結部１ｂを挿通して固定する固定部１ｃを設けた構造を有する。また上記固定部１ｃは、バンド本体部１ａの幅方向に設けた塩化ビニル製の片体を該バンド本体部１ａの両縁部に熱溶着等によってそれぞれ固定し、前記バンド本体部１ａとの間に前記締結部１ｂを挿通可能な隙間を形成したものである。この固定部１ｃの内側面には予め接着剤が塗布されており、該接着剤の塗布面には図示しない保護シートが剥離可能に設けられている。
【００１０】
このリストバンド１は、図２に例示するように入院患者の手首または足首に巻き付け、前述した固定部１ｃをなす片部とバンド本体部１ａとの隙間に前記締結部１ｂを挿通させ、この状態で保護シートを取り外す（引き抜く）ことで該固定部１ｃに前記締結部１ｂを接着固定し、これによって環状をなして前記入院患者の手首または足首に取り外し不能に装着される。尚、締結部１ｂとバンド本体部１ａの他端部とにそれぞれ複数の孔（図示せず）を設けておき、これらの孔に挿通される合成樹脂製のリベット体を用いて前記リストバンド１を円環状に固定することも可能である。このようにして患者に装着されるリストバンド１の患者からの取り外しは、後述するようにハサミ等によりリストバンド１を切断し、該リストバンド１自体を破壊することによってなされる。
【００１１】
また前記リストバンド１には、前記バンド本体部１ａの表面に貼付された、或いは白色等に塗装したラベル部２が設けられている。このラベル部２は、油性インク等を用いて患者の氏名や血液型等を記載する為の領域である。尚、上記ラベル部２には患者の氏名や年令、入院日、主治医名、血液型等を記載する為の見出し（タイトル）が印刷されており、これらの見出しに従って患者の氏名や血液型等の個人情報の記載が促されるようになっている。
【００１２】
一方、前記リストバンド１にはフィルム状のＩＣチップ３が内蔵されている。このＩＣチップ３のリストバンド１への内蔵は、例えばリストバンド１の裏面側に設けられたポケット部（図示せず）に収納し、該ポケット部を密閉することによりなされる。このポケット部は、前述した固定部１ｃのように塩化ビニル製の片体を該バンド本体部１ａの裏面側に、例えばその三辺に亘って熱溶着したものからなる。このようなポケット部にＩＣチップ３を収納した後、該ポケット部の残された辺部をバンド本体部１ａに熱溶着することで、ＩＣチップ３がリストバンド１内に密閉して内蔵される。
【００１３】
ところでＩＣチップ３は、例えば図３に示すように１Ｋバイト程度の記憶容量を持つ不揮発性のメモリ３ａと、所定の外部機器、例えば携帯情報端末４との間で非接触にデータ伝送する通信部３ｂとを備える。特にこの通信部３ｂは電磁コイルからなるアンテナ３ｃを介して、前記メモリ３ａに書き込まれた個人データを外部出力したり、前記メモリ３ａに書き込むデータを受信する役割を担う。尚、このＩＣチップ３には、携帯情報端末４の電源部４ｃから供給される電磁エネルギを前記アンテナ３ｃを介して取り込んで、前記メモリ３ａや通信部３ｂを駆動する電力を生成する電源部３ｄが設けられている。
【００１４】
ちなみにＩＣチップ３のメモリ３ａには、図示しないホストコンピュータを主体とする専用のデータ書き込み装置（データ入力端末）を用い、前述した前記アンテナ３ｂを介して該ＩＣチップ３とは非接触に患者の個人データが書き込まれる。また患者に施した医療行為の内容や患者の生体情報等についても、適宜、前記メモリ３ａに書き込まれるようになっている。そしてメモリ３ａに書き込まれた個人データは、適宜、携帯情報端末４に読み出されてその表示部４ａに表示され、携帯情報端末４を携帯する医師や看護婦等の医療従事者に提示される。
【００１５】
尚、ＩＣチップ３と前記データ書き込み装置または携帯情報端末４との間でのデータ通信、具体的にはデータ書き込み装置による前記メモリ３ａへの個人データの書き込みや、携帯情報端末４による前記メモリ３ａに書き込まれた個人データの読み出しは、例えば電磁誘導方式により１３.５６ＭＨzの周波数帯を利用して、１０〜２０ｃｍ程度の通信距離を確保して非接触に行われる。
【００１６】
しかしてこのような機能を備えたＩＣチップ３は、特にそのＩＣチップ本体を耐熱・耐蝕性を有する樹脂素材５にて全面コーティングし、加熱および／または洗浄による滅菌・消毒が可能な構造体として実現されている。尚、ＩＣチップ本体を耐熱・耐蝕性を有する樹脂素材５からなる偏平な容器（図示せず）内に封入したり、上記樹脂素材５にてモールドした構造としてＩＣチップ３を実現しても良い。このようなＩＣチップ３の滅菌・消毒可能な構造体化により、該ＩＣチップ３を前述したリストバンド１から取り外した際、該ＩＣチップ３を加熱および／または洗浄により滅菌・消毒すると共に、その書き込みデータを消去して初期化処理することで、別の新たなリストバンド１に内蔵して再利用することを可能としている。
【００１７】
図４は上述した構造の医事管理用タグの使用形態と、ＩＣチップ３の再利用の形態を示す流れ図である。この流れ図に沿って医事管理用タグの使用形態を説明すると、医事管理用タグはタグ製造工場１０においてリストバンド１にＩＣチップ３を内蔵することにより製作され、医療機関に納入される。タグ製造工場１０においては、前述したリストバンド１の色を異ならせたり、長さの異なるものを大人用、子供用、新生児用等して複数種類に亘って製造する。
【００１８】
しかして医療機関においては、内科や外科等からなる医療科目に応じて色の異なるリストバンド１の医事管理用タグを使用し、入院患者の一人一人に医事管理用タグを装着して医療管理に利用する。具体的には、先ず前述したデータ入力端末（データ書き込み装置）を用い、入院患者に応じてその患者の氏名、年令、性別、血液型等の個人データを前記ＩＣチップ３に書き込む（手順１１）。同時にこのＩＣチップ３を内蔵したリストバンド１の前述したラベル部２に、当該入院患者の氏名、年令、性別、血液型等の個人情報を記載する。このラベル部２への個人情報の記載とＩＣチップ３への個人情報の書き込みは、その双方の情報が同じものであることを確認しながら行われる。
【００１９】
このようにして個人データを書き込んだ医事管理用タグは入院患者（新生児を含む）に対して発行され、入院患者またはその付き添い者（保護者）との間で、ＩＣチップ３およびラベル部２に書き込まれた情報（記載情報）を確認（視認）し、これによって個人同定（認証）を行った上で当該入院患者に装着される（手順１２）。この際、リストバンド１の色から、当該入院患者の医療科目のチェックも同時に行われる。
【００２０】
しかして入院患者に医事管理用タグを装着したならば、医師や看護婦からなる医療従事者は、その後の手術や医薬投与等を行うに際して、ラベル部２に記載された個人情報を確認すると共に、携帯情報端末４を用いて前記ＩＣチップ３に書き込んだ個人データをその都度読み出して患者を個人同定（認証）し、その上で上述した手術や医薬投与等の医療行為を実施する（手順１３）。この際、ＩＣチップ３に患者の生体情報や、患者に対して施した医療行為を履歴として順次記録するようにし、一方、この記録情報をＩＣチップ３から読み出して確認した上で医療行為を実施するようにすることも有用である。このようにすれば患者とは別個に管理されて、その都度患者に突き合わせられるカルテに頼ることのない的確な医療行為を行うことが可能となる。換言すればカルテと患者との照合（個人同定）を行うことが可能となるので、カルテの取り違えによるミスの発生を未然に防止することが可能となる。またＩＣチップ３に書き込んだ情報を定期的にホストコンピュータに収集するようにすれば、カルテに記載された医療処置行為等との照合を行うことも可能となる。
【００２１】
一方、入院患者が退院する場合には、前述したようにハサミ等を用いてリストバンド１を切断し、該リストバンド１を破壊することにより患者から医事管理用タグが取り外される（手順１４）。そして患者から取り外された医事管理用タグのリストバンド１からＩＣチップ３を取り出した後（手順１５）、リストバンド１を廃棄する（手順１６）。ちなみにリストバンド１からのＩＣチップ３の取り出しは、前述したポケット部を破くことにより行われる。特にＩＣチップ３は、ポケット部に収納されて封入されているだけなので、ポケット部を破くだけで簡単に取り出し得る。
【００２２】
そしてリストバンド１から取り出したＩＣチップ３については、加熱および洗浄による滅菌・消毒を施した後（手順１７）、前述したデータ入力端末（データ書き込み装置）を用いてそのメモリ３ａに記録されている前述した患者の個人データを消去する（手順１８）。即ち、リストバンド１から取り出したＩＣチップ３を滅菌・消毒すると共に、メモリ３ａの記録情報を消去して該ＩＣチップ３を初期化する。このＩＣチップ３の初期化（個人データの消去）により、入院患者の個人情報の不本意な漏洩が防がれる。
【００２３】
尚、リストバンド１からＩＣチップ３を取り出す前に、即ち、リストバンド１を切断して患者から取り外した段階で、該ＩＣチップ３に記録された情報の全てを消去するようにしても良い。このようにすれば、例えばリストバンド１からのＩＣチップ３の取り出し作業を外部業者に委託する前に、患者の個人情報を消去することができるので、そのデータの保全性を十分に高めることが可能となる。
【００２４】
その後、このＩＣチップ３が持つ機能をチェックし（手順１９）、機能障害が生じたものについては廃棄すると共に、機能障害のないものについては再利用可能なＩＣチップ３として回収して前述したタグ製造工場１０に納入する。そして上記ＩＣチップ３を新たな別のリストバンド１に内蔵すれば、新品のＩＣチップ３を用いる場合と同様に使用することが可能となる。従ってＩＣチップ３は、リストバンド１からの取り出し時や、加熱および洗浄による滅菌・消毒等により不具合が生じない限り、新たな別のリストバンド１に内蔵されて繰り返し再使用される。
【００２５】
特にこの実施形態においては、前述したようにＩＣチップ３はリストバンド１のポケット部に収納して医事管理用タグに内蔵されているだけである。従ってＩＣチップ３のリストバンド１からの取り出しが容易であり、リストバンド１からの取り出し時にＩＣチップ３を損傷する虞が極めて少ない。しかもＩＣチップ３は、前述したようにそのＩＣチップ本体を耐熱・耐蝕性を有する樹脂素材５にて全面コーティングする等して、加熱および／または洗浄による滅菌・消毒が可能な構造体として実現されている。従って高温加熱や薬剤を用いた滅菌・消毒処理に十分に耐えることができるので、該ＩＣチップ３を繰り返し使用する上での衛生管理条件を十分に満たすことができる。これ故、比較的高価なＩＣチップ３を容易に繰り返し使用して新たな別のリストバンド１に組み込むことができるので、医事管理用タグを利用して入院患者の個人同定（認証）を行う上でのランニングコストを大幅に低減することが可能となる。
【００２６】
尚、本発明は上述した実施形態に限定されるものではない。例えばリストバンド１としてはビニルコーティングした紙素材等を用いることも可能である。またリストバンド１を環状に固定する手段として、肌に優しいプラスチック製の連結部材を用いることも可能である。またＩＣチップ３におけるメモリ３ａの記憶容量や、該メモリ３ａに書き込む情報内容については、医事管理の仕様等に応じて定めれば良いものであり、更にＩＣチップ３と所定の外部機器とのデータ通信手段についても種々の情報伝送方式を採用可能である。
【００２７】
またＩＣチップ３が有するデータ記録機能を利用して、該ＩＣチップ３の切り返し使用様回数を管理し、所定回数以上繰り返し使用したＩＣチップ３を廃棄するようにしても良い。このようにすればＩＣチップ３の動作信頼性を管理することが可能となるので、より信頼性の高い医事管理用タグの利用が可能となる。その他、本発明はその要旨を逸脱しない範囲で種々変形して実施することが可能である。
【００２８】
【発明の効果】
以上説明したように本発明によれば、ＩＣチップを滅菌・消毒可能な構造体とし、このＩＣチップをリストバンドに容易に取り出し可能に内蔵した構造の医事管理用タグを提供することができるので、この医事管理用タグを用いて入院患者の個人同定（認証）を効果的に行い得ることのみならず、リストバンドを切断して該リストバンドを入院患者から取り外したとき、上記ＩＣチップをリストバンドから容易に取り出して滅菌・消毒した後、別のリストバンドに内蔵して再使用することができる。従って比較的高価なＩＣチップの繰り返し使用を可能として、そのランニングコストを大幅に低減することができる等の実用上多大なる効果が奏せられる。
【図面の簡単な説明】
【図１】本発明の一実施形態に係る医事管理用タグの概略構成を示す図。
【図２】図１に示す医事管理用タグの手首への装着形態を示す図。
【図３】図１に示す医事管理用タグに組み込まれるＩＣチップの基本機能を示す概略構成図。
【図４】図１に示す医事管理用タグの使用形態と、ＩＣチップ３の再利用の形態を示す流れ図。
【符号の説明】
１  リストバンド
２  ラベル部
３  ＩＣチップ
５  耐熱・耐蝕性を有する樹脂素材
【図１】
0003778272.tif 000002
【図２】
0003778272.tif 000003
【図３】
0003778272.tif 000004
【図４】
0003778272.tif 000005